(57)【要約】【課題】嵌合・離脱が容易であり、狭ピッチ・低背型で安定した接触力を持つこと。【解決手段】コネクタ１は弾性体の第２インシュレータ６に形成した複数の突部６ｂと、前記第２インシュレータ６を弾性変位させるカム部７とを有し、前記相手コネクタ３は、弾性体の第２相手インシュレータ１６に形成した複数の相手突部１６ｂと、前記第２インシュレータ１６を弾性変位させる相手カム部１７とを有し、前記相手突部６ｂには前記第２インシュレータ６及び前記第２相手インシュレータ１６の弾性変位を解除することにより前記突部６ｂが前記相手突部１６ｂを狭持し前記突部６に設けたコンタクト４に接触する相手コンタクト１４を設けた。【選択図】図１
2005276442.tif 000002
【特許請求の範囲】
【請求項１】
コネクタと、該コネクタに接続する相手コネクタとを相互に無挿入力で嵌合して接続するコネクタ装置において、
前記コネクタは、導電性のコンタクトと、該コンタクトを保持した第１インシュレータと、該第１インシュレータ上で前記第１インシュレータに対して平行な第１の方向及び該第１方向とは逆向きの第２方向へ変位可能に設けた弾性体からなる第２インシュレータとを有し、
前記コンタクトは、前記第２インシュレータ上へ延びている接触部を有し、
前記第２インシュレータは、基部と、前記第１及び第２の方向に間隔をもって前記基部上に形成した複数の突部と、前記基部を前記第１及び第２方向で弾性変位させるよう前記基部に接続した回動可能なカム部とを有し、
前記突部には、前記接触部が設けられており、
前記相手コネクタは、導電性の相手コンタクトと、該第１相手コンタクトを保持した第１相手インシュレータと、該第１相手インシュレータ上で前記第１相手インシュレータに対して平行な前記第１及び第２方向へ変位可能に設けた弾性体からなる第２相手インシュレータとを有し、
前記相手コンタクトは、前記第２相手インシュレータ上へ延びている相手接触部を有し、
前記第２相手インシュレータは、相手基部と、前記第１及び第２の方向に間隔をもって前記相手基部上に形成した複数の相手突部と、前記相手基部を前記第１及び第２の方向で弾性変位させるように前記相手基部に接続した回動可能な相手カム部とを有し、
前記相手突部には、前記コネクタ及び前記相手コネクタを前記嵌合方向で嵌合して相互に接続する際に前記第２インシュレータ及び前記第２相手インシュレータを前記カム部及び前記相手カム部により弾性変位させて前記突部間を広げた状態で前記相手突部を前記突部間に前記嵌合方向で挿入しかつ前記カム部及び前記相手カム部により前記第２インシュレータ及び前記第２相手インシュレータの弾性変位を解除することにより前記突部が前記相手突部を狭持することにより前記接触部に接触する前記相手接触部が設けられていることを特徴とするコネクタ装置。
【請求項２】
請求項１記載のコネクタ装置において、前記第１及び第２方向における前記相手突部の寸法が前記第１及び第２方向における前記突部間の寸法よりも大きい寸法であることを特徴とするコネクタ装置。
【請求項３】
請求項１記載のコネクタ装置において、前記接触部が前記第１及び第２方向で前記突部の互いに対向している立壁面に設けられており、前記相手接触部が前記接触部に対向する前記相手突部の相手立壁面に設けられていることを特徴とするコネクタ装置。
【請求項４】
請求項１記載のコネクタ装置において、前記第１インシュレータには、前記嵌合方向に貫通している複数の第１貫通孔が形成されており、前記第２インシュレータには、前記嵌合方向に貫通している複数の第２貫通孔が形成されており、前記突部には、前記第１及び第２方向で対向している前記突部の前記立壁面の各々に前記第２貫通孔と共通している溝形状の収容部が形成されており、該収容部には前記コンタクトの前記接触部が前記第１及び第２方向において変位可能に嵌め込まれていることを特徴とするコネクタ装置。
【請求項５】
請求項１記載のコネクタ装置において、前記第１相手インシュレータには前記嵌合方向に貫通している複数の第１相手貫通孔が形成されており、前記第２相手インシュレータには、前記嵌合方向で貫通している複数の第２貫通孔が形成されており、前記相手突部には前記第１及び第２方向で対向している前記相手突部の前記相手立壁面の各々に前記第２相手貫通孔と共通している溝形状の相手収容部が形成されており、該相手収容部には前記相手コンタクトの前記接触部が前記第１及び第２方向において変位可能に嵌め込まれていることを特徴とするコネクタ装置。
【請求項６】
請求項１記載のコネクタ装置において、前記コンタクトは、前記第１及び第２方向を直交する嵌合方向で前記第１インシュレータから前記第２インシュレータを貫通しており、前記第１インシュレータの外へ延びている端子部を有し、前記相手コンタクトは、前記嵌合方向で前記第１相手インシュレータから前記第２相手インシュレータを貫通しており、前記第１相手インシュレータの外へ延びている相手端子部を有し、前記端子部が基板の回路に接続されるものであり、前記相手端子部が相手基板の回路に接続されるものであることを特徴とするコネクタ装置。
【請求項７】
請求項６記載のコネクタ装置において、前記コネクタは前記第１及び第２インシュレータを前記基板に固定する第１固定部材と、前記第１及び第２方向で前記基板に形成されている収容穴を跨ぐようにして前記基板に固定するように前記カム部に設けた第２固定部材とを有し、前記相手コネクタは前記第１及び第２相手インシュレータを前記相手基板に固定する第１相手固定部材と、前記第１及び第２方向で前記相手基板に形成されている相手収容穴を跨ぐようにして前記相手基板に固定するように前記相手カム部に設けた第２相手固定部材とを有していることを特徴とするコネクタ装置。
【発明の詳細な説明】
【技術分野】
【０００１】
本発明は、基板と相手基板との間を接続するコネクタ装置に関するものである。
【背景技術】
【０００２】
従来、一組の回路基板を電気的に接続するために使用される基板用コネクタにおいては、基板上での実装密度や配線密度の効率化を目的とした狭ピッチ・低背型コネクタが使用されている。
【０００３】
先行技術におけるコネクタとしては、射出成形された絶縁材料と、プレス成形されたコンタクトとを組み合わせたプラグ側コネクタと、レセプタクル側コネクタが使われている（例えば、特許文献１を参照）。
【０００４】
また、他の先行技術におけるコネクタは、液晶ディスプレイと回路基板との接続に用いる圧接型コネクタがある。この圧接型コネクタは、絶縁エラストマ体上に絶縁性ゴムシートを配し、この表面上に異方導電性部材が被覆された導電体が平行に配されている（例えば、特許文献２を参照）。
【０００５】
【特許文献１】特開２００２−３０５０４７号公報
【特許文献２】特開２０００−１００４９４号公報
【発明の開示】
【発明が解決しようとする課題】
【０００６】
特許文献１のコネクタは、コンタクトのバネに関して十分な接触力を得るために複雑なバネ構造になってしまう。
【０００７】
また、特許文献２のコネクタは、コネクタを圧接するための外部機構が必要となり、それ自身で液晶ディスプレイと回路基板との間の距離を保ちつつ安定した接触を得ることができないという問題がある。
【０００８】
それ故に本発明の課題は、嵌合・離脱が容易であり、狭ピッチ・低背型で安定した接触力を持つコネクタ装置を提供することにある。
【課題を解決するための手段】
【０００９】
本発明は、コネクタと、該コネクタに接続する相手コネクタとを相互に無挿入力で嵌合して接続するコネクタ装置において、前記コネクタは、導電性のコンタクトと、該コンタクトを保持した第１インシュレータと、該第１インシュレータ上で前記第１インシュレータに対して平行な第１の方向及び該第１方向とは逆向きの第２方向へ変位可能に設けた弾性体からなる第２インシュレータとを有し、前記コンタクトは、前記第２インシュレータ上へ延びている接触部を有し、前記第２インシュレータは、基部と、前記第１及び第２の方向に間隔をもって前記基部上に形成した複数の突部と、前記基部を前記第１及び第２方向で弾性変位させるよう前記基部に接続した回動可能なカム部とを有し、前記突部には、前記接触部が設けられており、前記相手コネクタは、導電性の相手コンタクトと、該第１相手コンタクトを保持した第１相手インシュレータと、該第１相手インシュレータ上で前記第１相手インシュレータに対して平行な前記第１及び第２方向へ変位可能に設けた弾性体からなる第２相手インシュレータとを有し、前記相手コンタクトは前記第２相手インシュレータ上へ延びている相手接触部を有し、前記第２相手インシュレータは、相手基部と、前記第１及び第２の方向に間隔をもって前記相手基部上に形成した複数の相手突部と、前記相手基部を前記第１及び第２の方向で弾性変位させるように前記相手基部に接続した回動可能な相手カム部とを有し、前記相手突部には、前記コネクタ及び前記相手コネクタを前記嵌合方向で嵌合して相互に接続する際に前記第２インシュレータ及び前記第２相手インシュレータを前記カム部及び前記相手カム部により弾性変位させて前記突部間を広げた状態で前記相手突部を前記突部間に前記嵌合方向で挿入しかつ前記カム部及び前記相手カム部により前記第２インシュレータ及び前記第２相手インシュレータの弾性変位を解除することにより前記突部が前記相手突部を狭持することにより前記接触部に接触する前記相手接触部が設けられていることを特徴とするコネクタ装置であることを最も主要な特徴とする。
【発明の効果】
【００１０】
本発明によれば、コネクタ装置の一部に弾性体からなる突部及び相手突部を持ち、突部及び相手突部に相手コネクタと接触するための接触部及び相手接触部を持ち、コネクタを嵌合する際、カム部及び相手カム部を操作することにより突部及び相手突部を持つ第２インシュレータ及び第２相手インシュレータに外力を与えることで、第２インシュレータの突部間を広げ、相手コネクタの相手突部を受け入れた後に外力を解除することで、嵌合が完了し基板及び相手基板同士を接続可能とする構造を持っているので、小型化・薄型化が可能となりかつ低挿抜力で安定した接触力を得るためのコネクタ装置を提供することが可能となる。
【発明を実施するための最良の形態】
【００１１】
本発明のコネクタ装置では、コネクタと、該コネクタに接続する相手コネクタとを相互に無挿入力で嵌合して接続するコネクタ装置において、前記コネクタは、導電性のコンタクトと、該コンタクトを保持した第１インシュレータと、該第１インシュレータ上で前記第１インシュレータに対して平行な第１の方向及び該第１方向とは逆向きの第２方向へ変位可能に設けた弾性体からなる第２インシュレータとを有し、前記コンタクトは、前記第２インシュレータ上へ延びている接触部を有し、前記第２インシュレータは基部と、前記第１及び第２の方向に間隔をもって前記基部上に形成した複数の突部と、前記基部を前記第１及び第２方向で弾性変位させるよう前記基部に接続した回動可能なカム部とを有し、前記突部には、前記接触部が設けられており、前記相手コネクタは、導電性の相手コンタクトと、該第１相手コンタクトを保持した第１相手インシュレータと、該第１相手インシュレータ上で前記第１相手インシュレータに対して平行な前記第１及び第２方向へ変位可能に設けた弾性体からなる第２相手インシュレータとを有し、前記相手コンタクトは、前記第２相手インシュレータ上へ延びている相手接触部を有し、前記第２相手インシュレータは、相手基部と、前記第１及び第２の方向に間隔をもって前記相手基部上に形成した複数の相手突部と、前記相手基部を前記第１及び第２の方向で弾性変位させるように前記相手基部に接続した回動可能な相手カム部とを有し、前記相手突部には、前記コネクタ及び前記相手コネクタを前記嵌合方向で嵌合して相互に接続する際に前記第２インシュレータ及び前記第２相手インシュレータを前記カム部及び前記相手カム部により弾性変位させて前記突部間を広げた状態で前記相手突部を前記突部間に前記嵌合方向で挿入しかつ前記カム部及び前記相手カム部により前記第２インシュレータ及び前記第２相手インシュレータの弾性変位を解除することにより前記突部が前記相手突部を狭持することにより前記接触部に接触する前記相手接触部が設けられていることにより実現した。
【実施例１】
【００１２】
図１は、本発明のコネクタ装置の実施例１を示している。図２は、図１に示したコネクタを示している。図３は図２に示したコネクタを分解した状態で示している。
【００１３】
図１乃至図３を参照して、コネクタ装置１は、コネクタ２と、コネクタ２に接続する相手コネクタ３とを相互に無挿入力で嵌合して接続するものである。
【００１４】
コネクタ２は、複数のコンタクト４と、コンタクト４が設けられている第１インシュレータ５と、弾性体により形成されている第２インシュレータ６とを有している。
【００１５】
コンタクト４は、帯長形状の導電板を板面方向に曲げることによって側面から見る略逆Ｌ字形状に曲げられており、長い寸法の部分が接触部４ａとなっており、接触部４ａから板面を交差する方向へ直角に曲げられている短い寸法の部分が端子部４ｂとなっている。
【００１６】
第１インシュレータ５は、図１に矢印によって示した第１方向Ａ及び第１方向Ａとは逆向きの第２方向Ｂに長い寸法で板形状を呈している。第２インシュレータ６は、図１に矢印によって示した第１方向Ａ及び第１方向Ａとは逆向きの第２方向Ｂに長い寸法で板形状を呈している基部６ａと、第２インシュレータ６が第１インシュレータ５に対向する基部６ａの一方面上から上方へ延びている複数の突部６ｂを有している。
【００１７】
複数の突部６ｂは、第２インシュレータ６の第１及び第２方向Ａ、Ｂにおいて所定間隔をもって配置されており、第２インシュレータ６の第１及び第２方向Ａ、Ｂに平行な一対の辺からかつ第１及び第２方向Ａ、Ｂを直交する幅方向に立設している。
【００１８】
さらに、第２インシュレータ６の第１方向Ａの一側辺には、コネクタ２の嵌合方向と直交する方向、即ち、第１方向Ａ及第２方向Ｂに第２インシュレータ６を弾性変位させる円柱形状の軸部６ｄが接続されている。軸部６ｄの幅方向の両側には、歯車形状に形成されている一対からなる回動可能なカム部７が設けられている。
【００１９】
第１及び第２インシュレータ５，６の長手方向に平行な側面には、一対からなる第１固定部材８ａが設けられている。第１固定部材８ａは、第１及び第２インシュレータ５，６の側面を固定している。
【００２０】
また、第２インシュレータ６には、各カム部７の外面でかつ各カム部７の中心部分に第１及び第２方向Ａ、Ｂに長い寸法の一対からなる第２固定部材８ｂが設けられている。
【００２１】
第１インシュレータ５には、板厚方向に貫通している複数の第１貫通孔５ａが形成されている。第２インシュレータ６には、板厚方向で貫通している複数の第２貫通孔６ｇが形成されている。第１貫通孔５ａ及び第２貫通孔６ｇは、第１インシュレータ５及び第２インシュレータ６が互いに合わされたときに一対一に対向して位置するように各々が形成されている。
【００２２】
第１及び第２貫通孔５ａ，６ｇには、コンタクト４の接触部４ａが貫通している。コンタクト４の端子部４ｂは、第２インシュレータ６が第１インシュレータ５に対向する一方面とは反対面となる外面上へ延びて外面に対向するように曲げられている。
【００２３】
第２インシュレータ６の突部６ｂには、第１及び第２方向Ａ、Ｂで対向している突部６ｂの立壁面６ｆの各々に第２貫通孔６ｇと共通している溝形状の収容部６ｅが形成されている。収容部６ｅには、コンタクト４の接触部４ａが第１及び第２方向Ａ、Ｂにおいて変位可能に嵌め込まれている。
【００２４】
図４は、図１に示した相手コネクタを示している。図５は相手コネクタ３を分解した状態で示している。
【００２５】
図４乃至図５を参照して、相手コネクタ２は、複数の相手コンタクト１４と、相手コンタクト１４が設けられている第１相手インシュレータ１５と、弾性体により形成されている第２相手インシュレータ１６とを有している。
【００２６】
相手コンタクト１４は、帯長形状の導電板を板面方向に曲げることによって側面から見る略逆Ｌ字形状に曲げられており、長い寸法の部分が相手接触部１４ａとなっており、相手接触部１４ａから板面を交差する方向へ直角に曲げられている短い寸法の部分が相手端子部１４ｂとなっている。
【００２７】
第１相手インシュレータ１５は、図１に矢印によって示した第１方向Ａ及び第１方向Ａとは逆向きの第２方向Ｂに長い寸法で板形状を呈している。第２相手インシュレータ１６は、図１に矢印によって示した第１方向Ａ及び第１方向Ａとは逆向きの第２方向Ｂに長い寸法で板形状を呈している相手基部１６ａと、第２相手インシュレータ１６が第１相手インシュレータ１５に対向する相手基部１６ａの一方面上から上方へ延びている複数の相手突部１６ｂを有している。
【００２８】
複数の相手突部１６ｂは、第２相手インシュレータ１６の第１及び第２方向Ａ、Ｂにおいて所定間隔をもって配置されており、第２相手インシュレータ１６の第１及び第２方向Ａ、Ｂに平行な一対の辺からかつ第１及び第２方向Ａ、Ｂを直交する幅方向に立設している。
【００２９】
さらに、第２相手インシュレータ１６の第１方向Ａの一側辺には、相手コネクタ２の嵌合方向と直交する方向、即ち、第１方向Ａ及第２方向Ｂに第２相手インシュレータ１６を弾性変位させる円柱形状の相手軸部１６ｄが接続されている。相手軸部１６ｄの幅方向の両側には、歯車形状に形成されている一対からなる回動可能な相手カム部１７が設けられている。
【００３０】
さらに、第１及び第２相手インシュレータ１５，１６の長手方向に平行な側面には、一対からなる第１相手固定部材１８ａが設けられている。また、第２相手インシュレータ１６には、各相手カム部１７の外面でかつ各相手カム部１７の中心部分に第１及び第２方向Ａ、Ｂに長い寸法の一対からなる第２相手固定部材１８ｂが設けられている。
【００３１】
第１相手インシュレータ１５には、板厚方向に貫通している複数の第１相手貫通孔１５ａが形成されている。第２相手インシュレータ１６には、板厚方向で貫通している複数の第２相手貫通孔１６ｇが形成されている。第１相手貫通孔１５ａ及び第２相手貫通孔１６ｇは、第１相手インシュレータ１５及び第２相手インシュレータ１６が互いに合わされたときに一対一に対向して位置するように各々が形成されている。
【００３２】
第１及び第２相手貫通孔１５ａ，１６ｇには、相手コンタクト１４の相手接触部１４ａが貫通している。相手コンタクト１４の相手端子部１４ｂは、第２相手インシュレータ１６が第１相手インシュレータ１５に対向する一方面とは反対面となる外面上へ延びて外面に対向するように曲げられている。
【００３３】
第２相手インシュレータ１６の相手突部１６ｂには、第１及び第２方向Ａ、Ｂで対向している相手突部１６ｂの相手立壁面１６ｆの各々に第２相手貫通孔１６ｇと共通している溝形状の相手収容部１６ｅが形成されている。相手収容部１６ｅには、相手コンタクト１４の相手接触部１４ａが第１及び第２方向Ａ、Ｂにおいて変位可能に嵌め込まれている。
【００３４】
ここで、図１に示したように、突部６ｂは、第１インシュレータ５に４つが設けられており、相手突部１６ｂは、第２インシュレータ１６に３つが設けられている。そして、各相手突部１６ｂは、各突部６ｂ間の隙間に嵌合している。
【００３５】
したがって、コネクタ２と相手コネクタ３とが嵌合したときには、相対向する突部６ｂの立壁面６ｆに配されている接触部４ａと相手突部１６ｂの相手立壁面１６ｆに配されている相手接触部１４ａとが相互に接触する。
【００３６】
コネクタ２の組み立て工程は、まず、図３に示すように、コンタクト４の接触部４ａを第１インシュレータ５の第１貫通孔５ａに挿入して固定し、軸部６ｄ、カム部７、第２固定部材８ｂと一体になっている第２インシュレータ６の収容部６ｅに接触部４ａを収容するようにして第１インシュレータ５上に第２インシュレータ６を被せると、図２に示したコネクタの組み立てが完了する。
【００３７】
相手コネクタ２の組み立て工程は、まず、図５に示すように、相手コンタクト１４の相手接触部１４ａを第１相手インシュレータ１５の第１相手貫通孔１５ａに挿入して固定し、相手軸部１６ｄ、相手カム部１７、相手第２固定部材１８ｂと一体になっている第２相手インシュレータ１６の相手収容部１６ｅに相手接触部１４ａを収容するようにして第１相手インシュレータ１５上に第２インシュレータ１６を被せると、図４に示したように相手コネクタの組み立てが完了する。
【００３８】
図６は、コネクタ２がプリント配線基板のような基板に実装されている状態を示している。
【００３９】
図６を参照して、基板９０ａには、軸部６ｄ及びカム部７を収容するための収容穴９１ａが形成されている。コネクタ２は、基板９０ａ上に実装されて、端子部４ｂが基板９０ａの回路パターンに半田接続される。また、このコネクタ２では、第１固定部材８ａによって第１及び第２インシュレータ５，６を基板９０ａに固定している。そして、第２固定部材８ｂは、第１及び第２方向Ａ、Ｂで収容穴９１ａを跨ぐようにして基板９０ａに固定される。この際、軸部６ｂ及びカム部７は、収容穴９１ａに収容されている。
【００４０】
図７は、相手コネクタ３がプリント配線基板のような相手基板に実装されている状態を示している。
【００４１】
図７を参照して、相手基板９０ｂには、相手軸部１６ｄ及び相手カム部１７を収容するための相手収容穴９１ｂが形成されている。相手コネクタ３は、相手基板９０ｂ上に実装されて、相手端子部１４ｂが相手基板９０ｂの回路パターンに半田接続される。
【００４２】
また、この相手コネクタ３では、第１相手固定部材１８ａによって第１及び第２相手インシュレータ１５，１６を相手基板９０ｂに固定している。そして、第２相手固定部材１８ｂは、第１及び第２方向Ａ、Ｂで相手収容穴９１ｂを跨ぐようにして相手基板９０ｂに固定される。この際、相手軸部１６ｄ及び相手カム部１７は、相手収容穴９１ｂに収容されている。
【００４３】
次に、基板９０ａに実装したコネクタ２及び相手基板９０ｂに実装した相手コネクタ３の嵌合・離脱について説明する。図８は、コネクタ２と相手コネクタ３とが嵌合する前の状態を示している。
【００４４】
図８に示すように、コネクタ２と相手コネクタ３とが嵌合する前の状態では、第１及び第２方向Ａ、Ｂにおける各突部６ｂ間の寸法ａと、各相手突部１６ｂの第１及び第２方向Ａ、Ｂにおける寸法ｂとが、ｂ＞ａの関係となっている。即ち、各相手突部１６ｂの寸法ｂは、各突部６ｂ間の寸法ａよりも少し大きい寸法となっている。
【００４５】
第２インシュレータ６は、軸部６ｄ及びカム部７と繋がって連動しているため、カム部７を回転すると、第２インシュレータ６を弾性変形させながら巻き取ることが可能である。また、第２相手インシュレータ１６は、相手軸部１６ｄ及び相手カム部１７と繋がって連動しているため、相手カム部１７を回転すると、第２相手インシュレータ１６を弾性変形させながら巻き取ることが可能である。
【００４６】
図８に示したコネクタ２及び相手コネクタ３の関係において、カム部７を図９の紙面において矢印Ｉで示すように時計方向へ回転させることで第２インシュレータ６が弾性変位する。このとき、突部６ｂ間が大きく広がる。また、図８に示したコネクタ２及び相手コネクタ３の関係において、相手カム部１７を図９の紙面において矢印ＩＩで示すように反時計方向へ回転させることで第２インシュレータ１６が弾性変位する。このとき各突部６ｂ間の寸法ａは、ａ′（ａ＜ａ′）になり、相手コネクタ３の相手突部１６ｂの寸法ｂはｂ′に変形する。寸法ｂと寸法ｂ′は、ほぼ等しく、ｂ′＜ａ′となり、各突部６ｂ間に相手突部１６ｂを無挿入力にて挿入できる。
【００４７】
このようにして、各突部６ｂ間に相手突部１６ｂを無挿入力にて挿入した状態を図１０に示した。さらに、図１０に示した状態から、カム部７を図１１の紙面において矢印ＩＩＩで示すように反時計方向へ回転させることで第２インシュレータ６が弾性変位を解除されて図８に示した状態に戻る。また、図１０に示した状態から相手カム部１７を図１０の紙面において矢印ＩＶで示すように時計方向へ回転させることで第２相手インシュレータ１６が弾性変位を解除されて図８に示した状態に戻る。このときの突部６ｂ及び相手突部１６bとの関係は、図８に示したように、第１及び第２方向Ａ、Ｂにおける各突部６ｂ間の寸法ａと相手突部１６ｂの第１及び第２方向Ａ、Ｂにおける寸法ｂとがｂ＞ａの関係となっているので、突部６ｂは相手突部１６bを狭持することになる。
【００４８】
したがって、接触部６ｂと相手接触部１６ｂは、突部６ｂによって相手突部１６bが狭持されているので、互いに強い狭持力によって接続される。よって、基板９０ａと相手基板９０ｂとは、これらがコネクタ２と相手コネクタ３を介して接続される。
【００４９】
なお、コネクタ２と相手コネクタ３とが嵌合している状態から離脱するには、カム部７もしくは相手カム部１７のいずれかを図１１に示した状態から操作することによって、図９に示したようにコネクタ２と相手コネクタ３とを離脱することができる。
【００５０】
なお、第１インシュレータ５及び第１相手インシュレータ１５は、一例として絶縁性の熱可塑性部材によって作ることができる。カム部７及び相手カム部１７、軸部６ｄ及び相手軸部１６ｄは、一例として絶縁性の熱可塑性部材によって作ることができる。第２インシュレータ６及び第２相手インシュレータ１６は、一例として絶縁性のエラストマー樹脂によって作ることができる。
【００５１】
さらに、コンタクト４及び相手コンタクト１４は、帯状の金属部材を採用するほか、導電体粒子をスパッタ法によって蒸着して突部６ｂ及び相手突部１６ｂに形成することによって接触部としてもよい。また、カム部７及び相手カム部１７は、歯車形状としたが、回動可能に指によって操作できるノブのような形状のものであってもよい。
【産業上の利用可能性】
【００５２】
本発明は、液晶ディスプレイのような基板とプリント配線基板や、電子回路基板同士などを接続するコネクタ装置の用途にも適用できる。
【図面の簡単な説明】
【００５３】
【図１】本発明に係るコネクタ装置の実施例１を示す斜視図である。
【図２】図２は、図１に示したコネクタを示す斜視図である。
【図３】図２に示したコネクタを分解した状態で示した斜視図である。
【図４】図１に示した相手コネクタを示す斜視図である。
【図５】図４に示した相手コネクタを分解した状態で示した斜視図である。
【図６】図２に示したコネクタを基板に実装した状態を示す斜視図である。
【図７】図４に示した相手コネクタを相手基板に実装した状態を示す斜視図である。
【図８】図６及び図７に示したコネクタと相手コネクタとの嵌合前の状態を示す断面図である。
【図９】図８に示したコネクタと相手コネクタとが嵌合する途中の状態を示した断面図である。
【図１０】図９に示したコネクタと相手コネクタとの、さらに嵌合途中の状態を示した断面図である。
【図１１】図１０に示したコネクタと相手コネクタとの嵌合状態を示した断面図である。
【符号の説明】
【００５４】
１    コネクタ装置
２    コネクタ
３  相手コネクタ
４    コンタクト
４ａ    接触部
４ｂ    端子部
５    第１インシュレータ
５ａ    第１貫通孔
６    第２インシュレータ
６ａ    基部
６ｂ    突部
６ｄ    軸部
６ｅ    収容部
６ｆ    立壁面
６ｇ    第２貫通孔
７    カム部
８ａ    第１固定部材
８ｂ    第２固定部材
１４    相手コンタクト
１４ａ    相手接触部
１４ｂ    相手端子部
１５    第１相手インシュレータ
１５ａ    第１相手貫通孔
１６    第２相手インシュレータ
１６ａ    相手基部
１６ｂ    相手突部
１６ｄ    相手軸部
１６ｅ    相手収容部
１６ｆ    相手立壁面
１６ｇ    第２相手貫通孔
１７    相手カム部
１８ａ    第１相手固定部材
１８ｂ    第２相手固定部材
９０ａ    基板
９１ａ    収容穴
９０ｂ    相手基板
９１ｂ    相手収容穴
Ａ    第１方向
Ｂ    第２方向
【図１】
2005276442.tif 000003
【図２】
2005276442.tif 000004
【図３】
2005276442.tif 000005
【図４】
2005276442.tif 000006
【図５】
2005276442.tif 000007
【図６】
2005276442.tif 000008
【図７】
2005276442.tif 000009
【図８】
2005276442.tif 000010
【図９】
2005276442.tif 000011
【図１０】
2005276442.tif 000012
【図１１】
2005276442.tif 000013